【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
アクティブマトリクス型の表示パネルの複数の信号線を駆動する信号線駆動回路に、表示データに基づく駆動信号を供給する駆動回路であって、
前記表示データが複数フレーム期間毎に書き込まれ、書き込まれた前記表示データがフレーム期間毎に読み出されるメモリと、
前記メモリから読み出された前記表示データが最低階調値を有する黒表示データであるとき、前記複数フレーム期間のうちの少なくとも１つの特定のフレーム期間において、所定の補正データを前記駆動信号として前記信号線駆動回路に供給する補正回路と、
を備えることを特徴とする駆動回路。
【請求項２】
前記表示データは複数ビットを有するデジタル信号であり、前記黒表示データは、前記複数ビットの全ビットがゼロの信号であることを特徴とする請求項１に記載の駆動回路。
【請求項３】
前記補正データは、前記複数ビットのうちの少なくとも何れか１つのビットを１とする信号であることを特徴とする請求項２に記載の駆動回路。
【請求項４】
前記表示パネルの表示画素は、対向する基板間に充填された液晶を有し、ノーマリブラックモードに設定された液晶表示画素であり、
前記補正データは、それに従って前記信号線駆動回路が前記各信号線に出力する信号の前記複数フレーム期間における平均電圧が、前記液晶表示画素の光透過率が前記表示データが最低階調値であるときの値から変化しない電圧値となるデータであることを特徴とする請求項１に記載の駆動回路。
【請求項５】
前記駆動回路は、更に、前記メモリに対する前記表示データの書き込み及び読み出しを制御するとともに、前記補正回路から前記信号線駆動回路に前記補正データを供給するタイミングを制御する補正制御信号を前記補正回路に供給する制御回路を更に備えることを特徴とする請求項１乃至４の何れか１項に記載の駆動回路。
【請求項６】
前記制御回路は、前記補正制御信号を前記複数フレーム期間における前記特定のフレーム期間毎に周期的に前記補正回路に供給し、
前記補正回路は、
前記補正制御信号が供給され、且つ、前記メモリから読み出された前記表示データが前記黒表示データであるときに、黒検出信号を出力する黒検出回路と、
前記黒検出回路から前記黒検出信号が出力されていないときは、前記メモリから読み出された前記表示データを前記駆動信号として前記信号線駆動回路に供給し、前記黒検出回路から前記黒検出信号が出力されたとき、前記補正データを前記駆動信号として前記信号線駆動回路に供給する、切り替え回路と、
を備えることを特徴とする請求項５に記載の駆動回路。
【請求項７】
アクティブマトリクス型の表示パネルの複数の信号線を駆動する信号線駆動回路に、表示データに基づく駆動信号を供給する駆動回路の駆動方法であって、
前記表示データを複数フレーム期間毎にメモリに書き込むステップと、
前記メモリに書き込まれた前記表示データをフレーム期間毎に読み出すステップと、
前記メモリから読み出された前記表示データが最低階調値を有する黒表示データであるとき、前記複数フレーム期間のうちの少なくとも１つの特定のフレーム期間において、所定の補正データを前記駆動信号として前記信号線駆動回路に供給するステップと、
を含むことを特徴とする駆動回路の駆動方法。
【請求項８】
前記表示パネルの表示画素は、対向する基板間に充填された液晶を有してなる液晶表示画素であり、
前記補正データは、それに従って前記信号線駆動回路が前記各信号線に出力する信号の前記複数フレーム期間における平均電圧が、前記液晶表示画素の光透過率が前記表示データが最低階調値であるときの値から変化しない電圧値となるデータであることを特徴とする請求項７に記載の駆動回路の駆動方法。
【請求項９】
前記駆動回路は、前記特定のフレーム期間において前記補正データを前記駆動信号として前記信号線駆動回路に供給する補正回路を有し、
前記駆動方法は、
前記信号線駆動回路に前記補正データを供給するタイミングを制御する補正制御信号を、前記補正回路に、前記複数フレーム期間における前記特定のフレーム期間毎に周期的に供給するステップと、
前記補正回路において、前記補正制御信号が供給され、且つ、前記メモリから読み出された前記表示データが前記黒表示データであるときに、前記補正データを前記駆動信号として前記信号線駆動回路に供給するステップと、
前記補正回路において、前記補正制御信号が供給されていないとき、前記メモリから読み出された前記表示データを前記駆動信号として前記信号線駆動回路に供給するステップと、
を含むことを特徴とする請求項７又は８に記載の駆動回路の駆動方法。
【請求項１０】
複数の走査線及び複数の信号線の各交点に対応して表示画素が配列された表示パネルと、
前記表示パネルの前記複数の走査線を順次選択する走査線駆動回路と、
前記液晶表示パネルの前記複数の信号線に、供給された駆動信号に応じた信号を出力する信号線駆動回路と、
前記表示データが複数フレーム期間毎に書き込まれ、書き込まれた前記表示データがフレーム期間毎に読み出されるメモリと、
前記メモリから読み出された前記表示データが最低階調値を有する黒表示データであるとき、前記複数フレーム期間のうちの少なくとも１つの特定のフレーム期間において、所定の補正データを前記駆動信号として前記信号線駆動回路に供給する補正回路と、
を備えることを特徴とする表示装置。
【請求項１１】
前記表示データは複数ビットを有するデジタル信号であり、前記黒表示データは、前記複数ビットの全ビットがゼロの信号であることを特徴とする請求項１０に記載の表示装置。
【請求項１２】
前記補正データは、前記複数ビットのうちの少なくとも何れか１つのビットを１とする信号であることを特徴とする請求項１１に記載の表示装置。
【請求項１３】
前記表示画素は、対向する基板間に充填された液晶を有し、ノーマリブラックモードに設定された液晶表示画素であり、
前記補正データは、それに従って前記信号線駆動回路が前記各信号線に出力する前記信号の前記複数フレーム期間における平均電圧が、前記液晶表示画素の光透過率が前記表示データが最低階調値であるときの値から変化しない電圧値となるデータであることを特徴とする請求項１０に記載の液晶表示装置。
【請求項１４】
前記表示装置は、更に、前記メモリに対する前記表示データの書き込み及び読み出しを制御するとともに、前記補正回路から前記信号線駆動回路に前記補正データを供給するタイミングを制御する補正制御信号を前記補正回路に供給する制御回路を更に備えることを特徴とする請求項１０乃至１３の何れか１項に記載の表示装置。
【請求項１５】
前記制御回路は、前記補正制御信号を前記複数フレーム期間における前記特定のフレーム期間毎に周期的に前記補正回路に供給し、
前記補正回路は、
前記補正制御信号が供給され、且つ、前記メモリから読み出された前記表示データが前記黒表示データであるときに、黒検出信号を出力する黒検出回路と、
前記黒検出回路から前記黒検出信号が出力されていないときは、前記メモリから読み出された前記表示データを前記駆動信号として前記信号線駆動回路に供給し、前記黒検出回路から前記黒検出信号が出力されたとき、前記補正データを前記駆動信号として前記信号線駆動回路に供給する、切り替え回路と、
を備えることを特徴とする請求項１４に記載の表示装置。
【手続補正２】
【補正対象書類名】明細書
【補正対象項目名】００２０
【補正方法】変更
【補正の内容】
【００２０】
このように、例えば黒表示状態が継続している時間が短いときと長いときとで安定状態からの抜け易さが変わるが、前記特許文献１は、そのような点については考慮されていない。
【手続補正３】
【補正対象書類名】明細書
【補正対象項目名】００２２
【補正方法】変更
【補正の内容】
【００２２】
請求項１に記載の駆動回路は、アクティブマトリクス型の表示パネルの複数の信号線を駆動する信号線駆動回路に、表示データに基づく駆動信号を供給する駆動回路であって、前記表示データが複数フレーム期間毎に書き込まれ、書き込まれた前記表示データがフレーム期間毎に読み出されるメモリと、前記メモリから読み出された前記表示データが最低階調値を有する黒表示データであるとき、前記複数フレーム期間のうちの少なくとも１つの特定のフレーム期間において、所定の補正データを前記駆動信号として前記信号線駆動回路に供給する補正回路と、を備えることを特徴とする。
【手続補正４】
【補正対象書類名】明細書
【補正対象項目名】００２５
【補正方法】変更
【補正の内容】
【００２５】
請求項４に記載の駆動回路は、請求項１に記載の駆動回路において、前記表示パネルの表示画素は、対向する基板間に充填された液晶を有し、ノーマリブラックモードに設定された液晶表示画素であり、
前記補正データは、それに従って前記信号線駆動回路が前記各信号線に出力する信号の前記複数フレーム期間における平均電圧が、前記液晶表示画素の光透過率が前記表示データが最低階調値であるときの値から変化しない電圧値となるデータであることを特徴とする。
【手続補正５】
【補正対象書類名】明細書
【補正対象項目名】００２８
【補正方法】変更
【補正の内容】
【００２８】
請求項７に記載の駆動回路の駆動方法は、アクティブマトリクス型の表示パネルの複数の信号線を駆動する信号線駆動回路に、表示データに基づく駆動信号を供給する駆動回路の駆動方法であって、前記表示データを複数フレーム期間毎にメモリに書き込むステップと、前記メモリに書き込まれた前記表示データをフレーム期間毎に読み出すステップと、前記メモリから読み出された前記表示データが最低階調値を有する黒表示データであるとき、前記複数フレーム期間のうちの少なくとも１つの特定のフレーム期間において、所定の補正データを前記駆動信号として前記信号線駆動回路に供給するステップと、を含むことを特徴とする。
【手続補正６】
【補正対象書類名】明細書
【補正対象項目名】００２９
【補正方法】変更
【補正の内容】
【００２９】
請求項８に記載の駆動回路の駆動方法は、請求項７に記載の駆動回路の駆動方法において、前記表示パネルの表示画素は、対向する基板間に充填された液晶を有してなる液晶表示画素であり、  前記補正データは、それに従って前記信号線駆動回路が前記各信号線に出力する信号の前記複数フレーム期間における平均電圧が、前記液晶表示画素の光透過率が前記表示データが最低階調値であるときの値から変化しない電圧値となるデータであることを特徴とする。
【手続補正７】
【補正対象書類名】明細書
【補正対象項目名】００３１
【補正方法】変更
【補正の内容】
【００３１】
請求項１０に記載の表示装置は、複数の走査線及び複数の信号線の各交点に対応して表示画素が配列された表示パネルと、前記表示パネルの前記複数の走査線を順次選択する走査線駆動回路と、前記液晶表示パネルの前記複数の信号線に、供給された駆動信号に応じた信号を出力する信号線駆動回路と、前記表示データが複数フレーム期間毎に書き込まれ、書き込まれた前記表示データがフレーム期間毎に読み出されるメモリと、前記メモリから読み出された前記表示データが最低階調値を有する黒表示データであるとき、前記複数フレーム期間のうちの少なくとも１つの特定のフレーム期間において、所定の補正データを前記駆動信号として前記信号線駆動回路に供給する補正回路と、を備えることを特徴とする。
【手続補正８】
【補正対象書類名】明細書
【補正対象項目名】００３４
【補正方法】変更
【補正の内容】
【００３４】
請求項１３に記載の表示装置は、請求項１０に記載の表示装置において、前記表示画素は、対向する基板間に充填された液晶を有し、ノーマリブラックモードに設定された液晶表示画素であり、前記補正データは、それに従って前記信号線駆動回路が前記各信号線に出力する前記信号の前記複数フレーム期間における平均電圧が、前記液晶表示画素の光透過率が前記表示データが最低階調値であるときの値から変化しない電圧値となるデータであることを特徴とする。
【手続補正９】
【補正対象書類名】明細書
【補正対象項目名】００４８
【補正方法】変更
【補正の内容】
【００４８】
前記補正制御信号ＮＨＯＳＥＩは、図２（Ａ）に示すように、ＣＰＵからＧＲＡＭ２２への表示データＤａｔａが書き込まれた直後のフレーム期間にローレベルとなる。よって、前記黒検出及びデータ補正回路２６のＮＯＲゲート２６７は、そのフレーム期間において黒表示データ（“０”）の検出を行う。
【手続補正１０】
【補正対象書類名】明細書
【補正対象項目名】００５６
【補正方法】変更
【補正の内容】
【００５６】
また、ステップＳ１１７において、ｎが１でないと判定されたとき、次にｎが５であるか否かを判定する（ステップＳ１２１）。そして、ステップ１２１でｎが５でないと判定したとき、補正制御信号ＮＨＯＳＥＩをハイレベルに設定し（ステップ１２２）、そして、ＧＲＡＭ２２に書き込まれていたデータを読み出し、読み出したデータをソース駆動回路２４へ供給して、液晶表示パネル１へ書き込む（ステップ１２３）。次いで、制御信号ＦＲＡＭＥがローレベルであるか否かの判定を行って（ステップ１２４）、１フレーム期間、液晶表示パネル１を駆動する。そして、ステップＳ１１６のフレームカウントｎのインクリメント動作に戻る。ステップＳ１１６〜Ｓ１２４の動作を、ｎ＝４となるまで繰り返す。次いで、ステップ１２１でｎ＝５であると判定したとき、ステップ１１２に戻り、フレームカウントｎをゼロに設定し、補正制御信号ＮＨＯＳＥＩをハイレベルに設定する。このようにして、ＣＰＵから表示データＤａｔａが５フレーム期間毎にＧＲＡＭ２２に書き込まれ、ＣＰＵからＧＲＡＭ２２への表示データＤａｔａが書き込まれた直後のフレーム期間において信号補正制御信号ＮＨＯＳＥＩをローレベルにする制御が行われる。
【手続補正１１】
【補正対象書類名】明細書
【補正対象項目名】００５８
【補正方法】変更
【補正の内容】
【００５８】
なお、本発明は黒表示状態が継続している時間が比較的長いときに特に好適であるが、１回限りの黒表示の場合には、黒表示データの電圧（Ｖ０）よりも高い補正電圧（Ｖ８）を周期的ではなくて単発印加することとなってしまうが、そのような場合であっても、次の黒以外の表示に移行する際に、ある程度、応答速度を改善できることは言うまでもない。
【手続補正１２】
【補正対象書類名】明細書
【補正対象項目名】００５９
【補正方法】変更
【補正の内容】
【００５９】
また、前記電圧Ｖ０としては例えば１．０ボルト、補正電圧Ｖ８としては１．５Ｖとした場合、５フレーム期間での印加電圧は、その平均である１．１Ｖとなる。液晶表示パネルは、書き込まれた電圧に対して１フレーム期間内では十分には応答せず、複数フレーム期間の平均的な電圧に対して応答することになるため、このような補正電圧を印加した場合、液晶の透過率は印加電圧の平均電圧（１．１Ｖ）に対応したものとなる。ここで、液晶の電圧−透過率特性は、電圧がある程度の値に達するまでは透過率は殆ど変化せず、ある電圧を超えると急激に透過率が変化する特性を有し、印加電圧が１．０Ｖと１．１Ｖとでは透過率は殆ど変わらない。従って、このような補正電圧を印加しても、黒表示の品質に殆ど影響を及ぼさない。なお、本実施形態では、補正表示データをＤ３（“８”）とし、補正電圧をＶ８とするものとしたが、これに限定されるものではなく、上述のように、黒表示の品質に影響を及ぼさない範囲で、補正表示データを他の値に設定するものであってもよい。この場合、使用する補正表示データに応じて、前記黒検出及びデータ補正回路２６のＯＲゲートを設ける信号線が変更される。
【手続補正１３】
【補正対象書類名】明細書
【補正対象項目名】００６４
【補正方法】変更
【補正の内容】
【００６４】
また、ＣＰＵからＧＲＡＭ２２への表示データＤａｔａの書き込み直後のフレーム期間で黒電圧よりも高い電圧を印加するものとしたが、どのフレーム期間に行うようにしても構わない。更に、その回数も、ＣＰＵからＧＲＡＭ２２への表示データＤａｔａの１回の書き込みに対して複数回であっても良いし、逆に、ＣＰＵからＧＲＡＭ２２への表示データＤａｔａの複数回の書き込みに対して１回であっても良い。但しこのような場合においても、上記と同様に、その回数に応じて、電圧が変わらないように、使用する電圧を適宜選択することが必要である。